(57)【特許請求の範囲】
【請求項１】
設備機械を動作させる複数の操作スイッチからなるスイッチ群と、
前記設備機械の状態を表示する複数のランプからなるランプ群とを有し、
前記設備機械の動作を制御する制御装置に接続して使用する操作盤において、
前記スイッチ群の信号をパラレルで前記制御装置に接続し、且つ前記制御装置から出力されるランプ表示信号をパラレルで前記ランプ群に接続するパラレル信号線と、
接続されるパラレルの前記スイッチ群の信号をシリアル信号に変換し、且つシリアル信号の前記ランプ表示信号をパラレル信号に変換して前記ランプ群に接続する通信制御部と、
前記通信制御部と前記制御装置とを接続するシリアル信号線と、
前記スイッチ群の信号のうち一部を、前記パラレル信号線又は前記通信制御部のいずれかに接続可能に切換えるスイッチ切換部と、
前記ランプ群の信号のうち一部を、前記パラレル信号線又は前記通信制御部のいずれかに接続可能に切換えるランプ切換部とを備えたことを特徴とする操作盤。
【請求項２】
前記シリアル信号線は、ＵＳＢケーブル又はイーサネットケーブルからなることを特徴とする請求項１に記載の操作盤。
【発明の詳細な説明】
【技術分野】
【０００１】
本発明は、設備機械の制御装置に接続して使用される操作盤に関する。
【背景技術】
【０００２】
一般的に、設備機械の操作盤は、設備機械を動作させる操作スイッチと、設備機械の動作状態を表示するランプと、操作表示装置とを備え、設備機械の動作を制御する制御装置とはパラレル信号線及びシリアル信号線により接続されている（例えば、特許文献１を参照）。ここで、パラレル信号線とは、操作スイッチやランプなどをパラレルに直接制御装置に接続する信号線である。シリアル信号線とは、操作スイッチやランプなどの信号を制御装置との間で通信などによりシリアルに伝送する信号線である。
【０００３】
操作表示装置の画面上には、画面上のタッチ動作により設備機械を動作させることができるタッチスイッチと、設備機械の動作状態を画面上に表示する画面ランプとが設けられ、表示画面を作成するソフトウエアにより、動作させたい対象、表示させたい動作状態に応じ、タッチスイッチ及び画面ランプが自由に設定可能になっている。タッチスイッチ及び画面ランプの信号は、シリアル信号線により制御装置との間で伝送される。
【０００４】
操作盤と制御装置との接続に用いられる信号線は、設備機械の基本的な運転操作に必要な操作スイッチ及びランプ、例えば、運転準備操作を行なうスイッチ、運転中を表示するランプなどのように重要度が高い動作に関するものについてはパラレル信号線とし、操作表示装置についてはシリアル信号線としている。
これにより、信号線の数を減らし、省配線化している。
【先行技術文献】
【特許文献】
【０００５】
【特許文献１】特開２０００−７３８号公報
【発明の概要】
【発明が解決しようとする課題】
【０００６】
しかしながら、上述した操作盤は、設備機械によっては基本的な運転操作や重要度が高い動作が異なり、それによって操作スイッチ及びランプの配置が異なる。これにより、操作盤は、制御装置との間での、操作スイッチ及びランプのパラレル信号線と、タッチスイッチ及び画面ランプのシリアル信号線との配分が設備機械によっては異なるために汎用化できず、設備機械によっては専用の操作盤を必要としている。その結果、操作盤がコスト高となり、各種設備機械に使用する操作盤の低コスト化が課題となっていた。
【０００７】
本発明は、このような課題を解決するためになされたものであって、汎用化するために操作盤と制御装置との間でのパラレル信号線とシリアル信号線との配分の自由度を高くする構成とし、各種設備機械に共用することにより低コストの操作盤を提供することを目的とする。
【課題を解決するための手段】
【００１０】
請求項１に係る操作盤の構成上の特徴は、設備機械を動作させる複数の操作スイッチからなるスイッチ群と、
前記設備機械の状態を表示する複数のランプからなるランプ群とを有し、
前記設備機械の動作を制御する制御装置に接続して使用する操作盤において、
前記スイッチ群の信号をパラレルで前記制御装置に接続し、且つ前記制御装置から出力されるランプ表示信号をパラレルで前記ランプ群に接続するパラレル信号線と、
接続されるパラレルの前記スイッチ群の信号をシリアル信号に変換し、且つシリアル信号の前記ランプ表示信号をパラレル信号に変換して前記ランプ群に接続する通信制御部と、
前記通信制御部と前記制御装置とを接続するシリアル信号線と、
前記スイッチ群の信号のうち一部を、前記パラレル信号線又は前記通信制御部のいずれかに接続可能に切換えるスイッチ切換部と、
前記ランプ群の信号のうち一部を、前記パラレル信号線又は前記通信制御部のいずれかに接続可能に切換えるランプ切換部とを備えることである。
【００１１】
請求項１の操作盤によれば、スイッチ群及びランプ群ともにそれぞれの信号のうち一部を、パラレル信号線又はシリアル信号線のいずれかに接続可能に切換えることができるので、操作盤と制御装置との間での操作スイッチ及びランプのパラレル信号線とシリアル信号線との配分の自由度を高くすることができる。
【００１２】
請求項２に係る操作盤の構成上の特徴は、前記シリアル信号線は、ＵＳＢケーブル又はイーサネットケーブル（「イーサネット」は登録商標）からなることである。
【００１３】
請求項２の操作盤によれば、シリアル信号線として汎用のＵＳＢケーブル及びイーサネ
ットケーブルを用いるので、配線作業が容易である。
【発明の効果】
【００１４】
本発明によれば、スイッチ群及びランプ群ともにそれぞれの信号のうち一部を、パラレル信号線又はシリアル信号線のいずれかに接続可能に切換えることができるので、操作盤と制御装置との間でのパラレル信号線とシリアル信号線との配分の自由度を高くすることができる。これにより、汎用化して各種設備機械に共用することにより低コストの操作盤を提供することができる。
【図面の簡単な説明】
【００１５】
【図１】本発明の実施形態の操作盤のハード構成図である。
【図２】本発明の実施形態の操作盤の機能ブロック図である。
【図３】本発明の実施形態の操作パネルの切換部を説明する図である。
【図４】本発明の実施形態の操作パネルの切換部を説明する図である。
【発明を実施するための形態】
【００１６】
以下、本発明の操作盤を具体化した実施形態を、図面を参照しつつ説明する。
図１は、本発明の実施形態の操作盤３０のハード構成図である。
操作盤３０は、設備機械（図示せず）の動作を制御する制御装置、例えば、プログラマブルコントローラ（ＰＬＣ）４０に接続され、作業者の操作に基づいてＰＬＣ４０へ信号を出力し、且つ、ＰＬＣ４０から入力された信号に基づいて表示する。
【００１７】
操作盤３０は、押しボタンスイッチ（操作スイッチ）などが装着されている操作パネル１０と、画面上をタッチ操作可能なパネルコンピュータ（操作表示装置）２０と、操作パネル１０とパネルコンピュータ２０とを接続するシリアル信号線、例えば、ＵＳＢケーブル３１と、パネルコンピュータ２０とＰＬＣ４０とを接続するシリアル信号線、例えば、イーサネットケーブル（「イーサネット」は、登録商標）４１と、操作パネル１０に装着されている押しボタンスイッチなどとＰＬＣ４０とを接続するパラレル信号線４２とから構成される。
【００１８】
操作パネル１０は、設備機械の状態を表示するランプからなるランプ部１５（ランプ類）と、選択操作して設備機械を動作させるために操作する選択スイッチ（操作スイッチ）及び押込み操作して設備機械を動作させるために操作する押しボタンスイッチとからなるスイッチ部１６（スイッチ類）を備える。
【００１９】
図２は、本発明の実施形態の操作盤３０の機能ブロック図である。
操作パネル１０は、ランプ部１５と、スイッチ部１６と、ランプ部１５の一部のランプ及びスイッチ部１６の一部の操作スイッチが接続されて、これらのランプ及び操作スイッチの信号をパネルコンピュータ２０と通信にてシリアル信号として授受する通信制御部１１と、通信制御部１１とパネルコンピュータ２０との間に介在してＵＳＢケーブル３１によりそれぞれから接続される通信接続部１２と、ランプ部１５の一部のランプ及びスイッチ部１６の一部の操作スイッチが接続されて、ＰＬＣ４０とパラレル信号線４２にて接続される接続部１３と、ランプ部１５の一部のランプ及びスイッチ部１６の一部の操作スイッチの接続先を、通信制御部１１と接続部１３とを切換える切換部１４とから構成される。
操作パネル１０のランプ及び操作スイッチの信号は、シリアル信号については通信接続部１２を介してＵＳＢケーブル３１により、パラレル信号については接続部１３を介してパラレル信号線４２によりＰＬＣ４０に接続されて授受される。
【００２０】
ランプ部１５は、接続先を切換え可能なランプＬＰ１と、通信制御部１１に接続されるランプＬＰ２、ＬＰ３と、接続部１３に接続されるランプＬＰ４とを備える。
ランプＬＰ１は、選択された接続先からのランプ表示信号に基づいて表示する。ランプＬＰ２，ＬＰ３は、通信制御部１１からのランプ表示信号に基づいて表示する。ランプＬＰ４は、接続部１３を介してＰＬＣ４０からのランプ表示信号に基づいて表示する。
【００２１】
スイッチ部１６は、接続先を切換え可能な選択スイッチＳＳ１と、通信制御部１１に接続される選択スイッチＳＳ２と、接続先を切換え可能な押しボタンスイッチＰＢ１，ＰＢ２と、通信制御部１１に接続される押しボタンスイッチＰＢ３と、接続部１３を介してＰＬＣ４０に接続される押しボタンスイッチＰＢ４とを備える。
【００２２】
切換部１４は、ランプＬＰ１の接続先を切換えるランプ切換部１４ａと、選択スイッチＳＳ１及び押しボタンスイッチＰＢ１，ＰＢ２の接続先をそれぞれ切換えるスイッチ切換部１４ｂとからなる。ランプ切換部１４ａはランプＬＰ１の接続先を切換えるＳＷ１からなる。スイッチ切換部１４ｂは、選択スイッチＳＳ１の接続先を切換える切換スイッチＳＷ２と、押しボタンスイッチＰＢ１，ＰＢ２の接続先をそれぞれ切換える切換スイッチＳＷ３，ＳＷ４とからなる。
切換スイッチＳＷ１は、ランプＬＰ１との接続点Ｐ１が、通信制御部１１との接続点Ｐ１ａ、又は接続部１３との接続点Ｐ１ｂのどちらか一方に接続されて、ランプＬＰ１の接続先を切換える。切換スイッチＳＷ２〜ＳＷ４も切換スイッチＳＷ１に同じく、それぞれ選択スイッチＳＳ１、押しボタンスイッチＰＢ１，ＰＢ２の接続先を切換える。
ランプ切換部１４ａに含まれる切換スイッチの個数と、スイッチ切換部１４ｂに含まれる切換スイッチの個数は、操作盤３０を適用する対象設備機械の仕様から適正な数を決定する。
【００２３】
通信制御部１１は、切換スイッチＳＷ２を介した選択スイッチＳＳ１と、切換スイッチＳＷ３を介した押しボタンスイッチＰＢ１と、切換スイッチＳＷ４を介した押しボタンスイッチＰＢ２と、選択スイッチＳＳ２と、押しボタンスイッチＰＢ３とが接続され、通信接続部１２とパネルコンピュータ２０とを介して通信によりこれらの操作スイッチのシリアル信号をＰＬＣ４０に出力する。また、通信制御部１１は、切換スイッチＳＷ１を介したランプＬＰ１と、ランプＬＰ２，ＬＰ３とが接続され、パネルコンピュータ２０と通信接続部１２とを介して通信によりＰＬＣ４０からシリアル信号のランプ表示信号を入力して、これらのランプ表示信号に基づいてこれらのランプを駆動する。
【００２４】
パネルコンピュータ２０は、画面上をタッチ操作可能な操作表示部２１と、ＰＬＣ４０にイーサネットケーブル４１にて接続してシリアル信号を授受し、操作表示部２１のタッチ操作及び画面上の表示を制御する操作表示制御部２２と、通信接続部１２にＵＳＢケーブル３１にて接続し、且つ、ＰＬＣ４０にイーサネットケーブル４１にて接続して、通信制御部１１とＰＬＣ４０との間でシリアル信号を中継処理する中継処理部２３とから構成される。
【００２５】
操作表示部２１は、画面上に操作表示制御部２２から入力するランプ表示信号に基づいて設備機械の状態を画面上に表示する画面ランプ（図示せず）と、画面上のタッチ操作によりタッチ操作信号を操作表示制御部２２へ出力することにより設備機械を動作させることができるタッチスイッチ（図示せず）とが設けられている。これらの画面ランプ及びタッチスイッチは、表示画面を作成するソフトウエア（図示せず）により、動作させたい対象、表示させたい動作状態に応じて自由に設定可能になっている。
【００２６】
操作表示制御部２２は、操作表示部２１から入力するタッチ操作信号をＰＬＣ４０に出力し、ＰＬＣ４０から入力するランプ表示信号を操作表示部２１に出力する。
【００２７】
中継処理部２３は、通信制御部１１から選択スイッチＳＳ１，ＳＳ２及び押しボタンスイッチＰＢ１〜ＰＢ３の信号を入力してＰＬＣ４０へ出力し、また、ＰＬＣ４０からランプＬＰ１〜ＬＰ３を表示するランプ表示信号を入力して通信制御部１１へ出力する。
【００２８】
これにより、操作盤３０は、選択スイッチＳＳ１及び押しボタンスイッチＰＢ１，ＰＢ２の信号の出力先を、それぞれスイッチ切換部１４ｂの切換え選択により、通信制御部１１と中継処理部２３とを介して通信によりシリアル信号としてＰＬＣ４０へ、又はパラレル信号として直接ＰＬＣ４０へのいずれかに接続可能に切換えることができるので、操作盤３０とＰＬＣ４０との間での操作スイッチのパラレル信号線４２とシリアル信号線３１，４１との配分の自由度を高くすることができる。
【００２９】
また、操作盤３０は、ランプＬＰ１を表示するランプ表示信号の入力元を、ランプ切換部１４ａの切換え選択により、通信制御部１１と中継処理部２３とを介して通信によりシリアル信号としてＰＬＣ４０から、又はパラレル信号として直接ＰＬＣ４０からのいずれかに接続可能に切換えることができるので、操作盤３０とＰＬＣ４０との間でのランプのパラレル信号線４２とシリアル信号線３１，４１との配分の自由度を高くすることができる。
【００３０】
次に、切換部１４の作用について第１の切換例に基づき説明する。
図３は、本発明の実施形態の操作パネル１０の切換部１４を説明する図である。
ランプＬＰ１の接続先を切換える切換スイッチＳＷ１は、接続点Ｐ１と接続点Ｐ１ｂが接続されている。これにより、ランプＬＰ１は接続部１３に接続され、パラレル信号線４２によりＰＬＣ４０に接続される。そして、ランプＬＰ１は、接続部１３を介してＰＬＣ４０から入力するランプ表示信号に基づいて表示する。
【００３１】
選択スイッチＳＳ１の接続先を切換える切換スイッチＳＷ２は、接続点Ｐ２と接続点Ｐ２ｂが接続されている。これにより、選択スイッチＳＳ１は接続部１３に接続され、パラレル信号線４２によりＰＬＣ４０に接続される。そして、選択スイッチＳＳ１の信号は、接続部１３を介してＰＬＣ４０へ出力される。
【００３２】
押しボタンスイッチＰＢ１の接続先を切換える切換スイッチＳＷ３は、接続点Ｐ３と接続点Ｐ３ｂが接続されている。これにより、押しボタンスイッチＰＢ１は接続部１３に接続され、パラレル信号線４２によりＰＬＣ４０に接続される。そして、押しボタンスイッチＰＢ１の信号は、接続部１３を介してＰＬＣ４０へ出力される。
【００３３】
押しボタンスイッチＰＢ２の接続先を切換える切換スイッチＳＷ４は、接続点Ｐ４と接続点Ｐ４ｂが接続されている。これにより、押しボタンスイッチＰＢ２は接続部１３に接続され、パラレル信号線４２によりＰＬＣ４０に接続される。そして、押しボタンスイッチＰＢ２の信号は、接続部１３を介してＰＬＣ４０へ出力される。
【００３４】
ランプＬＰ２，ＬＰ３は、通信制御部１１に接続され、通信接続部１２を介して通信によりＰＬＣ４０から入力するランプ表示信号に基づいて表示する。ランプＬＰ４は、接続部１３を介してＰＬＣ４０から入力するランプ表示信号に基づいて表示する。
選択スイッチＳＳ２及び押しボタンスイッチＰＢ３は、通信制御部１１に接続され、これらの操作スイッチの信号は通信接続部１２を介して通信によりＰＬＣ４０へ出力される。押しボタンスイッチＰＢ４の信号は、接続部１３を介してＰＬＣ４０へ出力される。
【００３５】
これにより、接続部１３におけるＰＬＣ４０とパラレル信号を授受するパラレル信号表Ｈ２は、操作パネル１０が入力する信号Ｑ１０，Ｑ１１はそれぞれランプＬＰ１，ＬＰ４のランプ表示信号となり、操作パネル１０が出力する信号Ｉ１０〜Ｉ１３はそれぞれ選択スイッチＳＳ１，押しボタンスイッチＰＢ１，ＰＢ２，ＰＢ４の操作スイッチの信号となる。そして、これらのランプ及び操作スイッチがＰＬＣ４０とパラレル信号線４２により直接接続されてパラレル信号を授受する。
【００３６】
また、通信接続部１２におけるＰＬＣ４０とシリアル信号を授受するシリアル信号表Ｈ１は、操作パネル１０が入力する信号Ｑ２，３はそれぞれランプＬＰ２，ＬＰ３のランプ表示信号となり、操作パネル１０が出力する信号Ｉ２，Ｉ５はそれぞれ選択スイッチＳＳ２，押しボタンスイッチＰＢ３の操作スイッチの信号となり、信号Ｑ１，Ｉ１，Ｉ３，Ｉ４は無しとなる。そして、これらのランプ及び操作スイッチがシリアル信号線３１，４１によりＰＬＣ４０と通信によりシリアル信号を授受する。
【００３７】
次に、切換部１４の作用について第２の切換例に基づき説明する。
図４は、本発明の実施形態の操作パネル１０の切換部１４を説明する図である。
ランプＬＰ１の接続先を切換える切換スイッチＳＷ１は、接続点Ｐ１と接続点Ｐ１ａが接続されている。これにより、ランプＬＰ１は通信制御部１１に接続され、通信接続部１２を介して通信によりＰＬＣ４０から入力するランプ表示信号に基づいて表示する。
【００３８】
選択スイッチＳＳ１の接続先を切換える切換スイッチＳＷ２は、接続点Ｐ２と接続点Ｐ２ａが接続されている。これにより、選択スイッチＳＳ１は通信制御部１１に接続され、選択スイッチＳＳ１の信号は通信接続部１２を介して通信によりＰＬＣ４０へ出力される。
【００３９】
押しボタンスイッチＰＢ１の接続先を切換える切換スイッチＳＷ３は、接続点Ｐ３と接続点Ｐ３ｂが接続されている。これにより、押しボタンスイッチＰＢ１は接続部１３に接続され、パラレル信号線４２によりＰＬＣ４０に接続される。そして、押しボタンスイッチＰＢ１の信号は、接続部１３を介してＰＬＣ４０へ出力される。
【００４０】
押しボタンスイッチＰＢ２の接続先を切換える切換スイッチＳＷ４は、接続点Ｐ４と接続点Ｐ４ａが接続されている。これにより、押しボタンスイッチＰＢ２は通信制御部１１に接続され、押しボタンスイッチＰＢ２の信号は通信接続部１２を介して通信によりＰＬＣ４０へ出力される。
【００４１】
ランプＬＰ２，ＬＰ３は、通信制御部１１に接続され、通信接続部１２を介して通信によりＰＬＣ４０から入力するランプ表示信号に基づいて表示する。ランプＬＰ４は、接続部１３を介してＰＬＣ４０から入力するランプ表示信号に基づいて表示する。
選択スイッチＳＳ２及び押しボタンスイッチＰＢ３は、通信制御部１１に接続され、これらの操作スイッチの信号は通信接続部１２を介して通信によりＰＬＣ４０へ出力される。押しボタンスイッチＰＢ４の信号は、接続部１３を介してＰＬＣ４０へ出力される。
【００４２】
これにより、接続部１３におけるＰＬＣ４０とパラレル信号を授受するパラレル信号表Ｈ２ａは、操作パネル１０が入力する信号Ｑ１１ａはランプＬＰ４のランプ表示信号となり、操作パネル１０が出力する信号Ｉ１１ａ，Ｉ１３ａはそれぞれ押しボタンスイッチＰＢ１，ＰＢ４の操作スイッチの信号となり、信号Ｑ１０ａ，Ｉ１０ａ，Ｉ１２ａは無しとなる。そして、これらのランプ及び操作スイッチがＰＬＣ４０とパラレル信号線４２により直接接続されてパラレル信号を授受する。
【００４３】
また、通信接続部１２におけるＰＬＣ４０とシリアル信号を授受するシリアル信号表Ｈ１ａは、操作パネル１０が入力する信号Ｑ１ａ〜３ａはそれぞれランプＬＰ１〜ＬＰ３のランプ表示信号となり、操作パネル１０が出力する信号Ｉ１ａ，Ｉ２ａ，Ｉ４ａ，Ｉ５ａはそれぞれ選択スイッチＳＳ１，ＳＳ２，押しボタンスイッチＰＢ２，ＰＢ３の操作スイッチの信号となり、信号Ｉ３ａは無しとなる。そして、これらのランプ及び操作スイッチがシリアル信号線３１，４１によりＰＬＣ４０と通信によりシリアル信号を授受する。
【００４４】
以上のように、本実施の形態に係る操作盤３０によれば、選択スイッチＳＳ１及び押しボタンスイッチＰＢ１，ＰＢ２の信号を、それぞれスイッチ切換部１４ｂの切換え選択により通信制御部１１と中継処理部２３とを介してＰＬＣ４０、又は直接ＰＬＣ４０のいずれかに接続可能に切換えることができるので、操作盤３０とＰＬＣ４０との間での操作スイッチのパラレル信号線４２とシリアル信号線３１，４１との配分の自由度を高くすることができる。
また、ランプＬＰ１のランプ表示信号をランプ切換部１４ａの切換え選択により通信制御部１１と中継処理部２３とを介してＰＬＣ４０、又は直接ＰＬＣ４０のいずれかに接続可能に切換えることができるので、操作盤３０とＰＬＣ４０との間でのランプのパラレル信号線４２とシリアル信号線３１，４１との配分の自由度を高くすることができる。
これらにより、本操作盤は、設備機械によっては重要度が高い動作に関する操作スイッチ及びランプの配置が異なることがあっても、ＰＬＣ４０との間での操作スイッチ及びランプの信号であるパラレル信号線４２とシリアル信号線３１，４１との配分の自由度が高いので、汎用化して各種設備機械に共用することにより低コストの操作盤を提供することができる。
【００４５】
さらに、設備機械をある期間稼動後、仕様変更や生産性向上のために操作盤に新たに重要度が高い操作スイッチを追加改造する場合、従来は操作盤に新たに操作スイッチを取付け、制御装置とのパラレル信号線を追加するなどの改造工事が必要であった。本実施の形態に係る操作盤３０によれば、使用していないシリアル信号の操作スイッチを、切換スイッチにより接続先を切換えることによりパラレル信号の操作スイッチに簡単に切換えることができる。このように、操作盤の改造時にも柔軟に対応できるので、設備機械改造時の操作盤の改造を低コスト化できる。
【００４６】
また、本実施の形態に係る操作盤３０によれば、シリアル信号線として汎用のＵＳＢケーブル及びイーサネットケーブルを用いるので、配線作業が容易である。
【００４７】
なお、上記実施形態では、ランプは４個、選択スイッチは２個、及び押しボタンスイッチは４個設けるとしたが、しかし、これに限らず、本発明の操作盤を適用する対象設備機械の仕様に基づき設ければよい。例えば、ランプは８個、選択スイッチは４個、及び押しボタンスイッチは１２個設けるとしても良い。
【００４８】
また、上記実施形態では、切換部１４は、ランプの接続先を切換えるスイッチは１個、選択スイッチの接続先を切換えるスイッチは１個、及び押しボタンスイッチの接続先を切換えるスイッチは２個設けるとしたが、しかし、これに限らず、本発明の操作盤を適用する対象設備機械の仕様に基づき設ければよい。例えば、ランプの接続先を切換えるスイッチは２個、選択スイッチの接続先を切換えるスイッチは２個、及び押しボタンスイッチの接続先を切換えるスイッチは２個設けるとしても良い。
【００４９】
さらに、上記実施形態では、タッチ操作可能なパネルコンピュータ２０を有する構成としたが、しかし、これに限らず、本発明の操作盤を適用する対象設備機械の動作の制御が簡素な場合、パネルコンピュータ２０を有しない構成でも良い。
【００５０】
加えて、上記実施形態では、ランプを４個設けるとしたが、しかし、これに限らず、本発明の操作盤を使用する設備機械の仕様により、ランプを設けない構成でも良い。
【符号の説明】
【００５１】
１０：操作パネル、  １１：通信制御部、  １２：通信接続部、  １３：接続部、  １４：切換部、  １４ａ：ランプ切換部、  １４ｂ：スイッチ切換部、  １５：ランプ部（ランプ類）、  １６：スイッチ部（スイッチ類）、  ２０：パネルコンピュータ（操作表示装置）、  ２１：操作表示部、  ２２：操作表示制御部、  ２３：中継処理部、  ３０：操作盤、  ３１：ＵＳＢケーブル（シリアル信号線）、  ４０：プログラマブルコントローラ（制御装置）、  ４１：イーサネットケーブル（シリアル信号線）、  ４２：パラレル信号線、  Ｈ１，Ｈ１ａ：シリアル信号表、  Ｈ２，Ｈ２ａ：パラレル信号表、  ＬＰ１〜ＬＰ４：ランプ、  ＰＢ１〜ＰＢ４：押しボタンスイッチ（操作スイッチ）、  ＳＳ１，ＳＳ２：選択スイッチ（操作スイッチ）、  ＳＷ１〜ＳＷ４：切換スイッチ
【図１】
0005712699.tif 000002
【図２】
0005712699.tif 000003
【図３】
0005712699.tif 000004
【図４】
0005712699.tif 000005